(57)【要約】【課題】自然状態に近いきれいなコア柱を採取することが可能であり、かつ、コア柱の採取後にコアを管内から取り出し易い状態で収容することを可能とするコア採取技術を提供する。【解決手段】筒状のコアビット３と、コアビット３の先端に設けられ地殻から一定の径のコア柱を切り出すコア切出部５，３ｅと、コア切出部５，３ｅに隣接して、コアビット３に対し回転自在に配設され、コアビット３の切り出すコア柱を円筒状の内壁を有する筒の内部を通過させることにより一定の径に整形するコア整形部４ｅとを備えた構成とする。これにより、コア柱は、コア整形部４ｅの筒内を通過させられることにより一定の径のコア柱に整形されるため、採取されたコア柱が自然膨張により、崩壊等することが防止され、自然状態に近いきれいなコア柱を採取することが可能となる。【選択図】　　　　　図１
2004068325.tif 000002
【特許請求の範囲】
【請求項１】
筒状のコアビットと、
前記コアビットの先端に設けられ地殻から一定の径のコア柱を切り出すコア切出部と、
前記コア切出部に隣接して、前記コアビットに対し回転自在に配設され、前記コアビットの切り出すコア柱を円筒状の内壁を有する筒の内部を通過させることにより一定の径に整形するコア整形部と、
を備えたコア採取装置。
【請求項２】
前記コア整形部の内壁の半径は、前記コア切出部の切出半径よりも大きく、前記コア切出部の切り出すコア柱が自由膨張した際のコア柱の半径よりも小さいことを特徴とする請求項１記載のコア採取装置。
【請求項３】
前記コア整形部の円筒状の内壁の長さは４５乃至６０ｍｍであることを特徴とする請求項１又は２記載のコア採取装置。
【請求項４】
前記コアビットの筒内に回転自在に挿入され、先端部が小径で基端部が大径の段差円筒形状に形成された内壁を有するコア整形チューブを備え、
前記コア整形部は、前記コア整形チューブの先端部の内壁により構成されたことを特徴とする請求項１乃至３の何れか一に記載のコア採取装置。
【請求項５】
前記コアビットの内壁は、先端部が小径で基端部が大径の段差円筒形状に形成されており、
前記コア整形チューブの先端は、前記コアビット筒内に挿入され、前記コア整形チューブの先端面は前記コアビットの内壁の段差面に接触して配置されていることを特徴とする請求項４記載のコア採取装置。
【請求項６】
前記コア整形チューブは、外壁に突出形成されたフランジを有し、
前記フランジは、前記コアビットと前記アウターチューブとにより回転自在に挟持されていることを特徴とする請求項４又は５記載のコア採取装置。
【請求項７】
先端部が小径で基端部が大径の段差円筒形状に形成された内壁を有するコア整形チューブ。
【請求項８】
前記基端部の筒内半径は、前記先端部の筒内半径の１．０１〜１．１倍だけ大きく形成されていることを特徴とする請求項７記載のコア整形チューブ。
【発明の詳細な説明】
【０００１】
【発明の属する技術分野】
本発明は、地殻内部の地質標本であるコア柱を自然状態に近いきれいな状態で採取することが可能なコア採取技術に関する。
【０００２】
【従来の技術】
従来のコア採取装置としては、「外管先端側に内管を脱着自在に挿入し、前記内管の先端側に設けた環状の収納部に柔軟なスリーブを収納した状態で外管を地中に挿入し、前記外管を地上の駆動部により回転して外管先端に設けたビットでコアを形成すると共に、収納部から繰り出すスリーブで前記コアを被覆しながら内管内部に採取するようにした地質調査用コア採取装置において、前記スリーブの後端部に、コアの外径より小さい開口部を有してコアの後端部に係止される係止部を備えたことを特徴とする地質調査用コア採取装置」が知られている（特開平５−１８７１８１号公報参照）。
上記従来のコア採取装置においては、スリーブの後端部に、コアの外径より小さい開口部を有してコアの先端部に係止される係止部を備えることにより、外管先端部のビットで形成したコアが内管先端部から内管内部を上昇してくるときに、コアの後端部がスリーブの係止部と当接して突き上げることで、スリーブが収納部から繰り出てコアを順次被覆していくようにしたものである。
【０００３】
【発明が解決しようとする課題】
しかしながら、上記従来のコア採取装置では、内管の先端側に取り付けられたシューや内管自体に、採取したコア柱が詰まって取り出すのが極めて難しくなる場合が多かった。また、採取したコア柱が管内に詰まった際に、無理に取り出そうとすると、コアが型くずれを起こしてしまうという欠点があった。
そこで、本発明の目的は、自然状態に近いきれいなコア柱を採取することが可能であり、かつ、コア柱の採取後にコアを管内から取り出し易い状態で収容することを可能とするコア採取技術を提供することにある。
【０００４】
【課題を解決するための手段】
本発明に係るコア採取装置の第１の構成は、筒状のコアビットと、前記コアビットの先端に設けられ地殻から一定の径のコア柱を切り出すコア切出部と、前記コア切出部に隣接して、前記コアビットに対し回転自在に配設され、前記コアビットの切り出すコア柱を円筒状の内壁を有する筒の内部を通過させることにより一定の径に整形するコア整形部と、を備えたことを特徴とする。
【０００５】
コアビットにより地殻から切り出されたコア柱は、コア整形部の円筒状の内壁を有する筒の内部を通過させられることにより一定の径のコア柱に整形される。
従って、採取されたコア柱が自然膨張により、崩壊したり、型くずれしたり、採取されるコア柱の長さが掘削長に対して極端に短くなったりすることが防止され、自然状態に近いきれいなコア柱を採取することが可能となる。
また、コア整形部で整形された後は、コア柱の型くずれの心配がないため、コア柱を管に押し込めて保持する必要はなく、例えば、コア柱とコア収納用の管との間隙を開ける等、後で取り出しやすい状態でコア柱を収納することができる。
【０００６】
ここで、前記コア切出部は、前記コアビットの先端面に設けられたビット切刃と、前記コアビットの先端部筒内に形成された円筒状の内壁とにより構成することができる。この場合、コアビットの先端部筒内においてコア柱がスムーズに通過できるようにするために、前記コアビットの先端部筒内の内壁に潤滑水を供給する水溝が形成された構成としてもよい。
また、前記コア切出部は、先端部に地殻切出用のシューにより構成することもできる。
【０００７】
本発明に係るコア採取装置の第２の構成は、前記第１の構成において、前記コア整形部の内壁の半径は、前記コア切出部の切出半径よりも大きく、前記コア切出部の切り出すコア柱が自由膨張した際のコア柱の半径よりも小さいことを特徴とする。
【０００８】
コア切出部により地殻から切り出されたコアは、切出時にコアビット筒内に押し込められるため、圧縮された状態にある。従って、コア切出部が地殻内を掘進することによってコア切出部を通過してコア整形部に達して管径が広がると、コア柱は膨張して拡径する。特に、流動性の大きい軟質地盤を掘削する場合にはそのコア柱の膨張は大きい。しかしながら、コア整形部の内壁の半径は、コア柱が自由膨張した際のコア柱の半径よりも小さく形成されているため、コア柱は完全に自由膨張することができず、一定の圧力がかかった状態でコア整形部で押し固められる。従って、採取されるコア柱は型くずれや崩壊を起こすことなく、自然状態に近いきれいな状態のコア柱を採取することが可能となる。また、コア柱とコア整形部との間に適度な摩擦力が働くため、流動性の大きな軟質地盤を掘削する場合でも、コア整形部に侵入するコアの量は制限されるためにコアの膨張は小さく抑えられる。
【０００９】
ここで、「コア柱が自由膨張した際のコア柱の半径」は、採取する土質により異なるが、ここでは、特に軟質層において平均的に得られる半径をいう。要するに、「コア整形部の内壁の半径」の値としては、コア切出部の切り出したコア柱に対して適度の圧力が加わる半径とすることが好ましい。本発明者が試験を行ったところでは、コア切出部の切出半径の１．０２〜１．０６倍、より好ましくは、１．０３〜１．０５倍程度とするのが最適であった。例えば、コアの切り出し半径を４６ｍｍとすれば、コア整形部の内壁の半径は、４７〜４９ｍｍ、より好ましくは、４７〜４８ｍｍとするのが最適である。
【００１０】
本発明に係るコア採取装置の第３の構成は、前記第１又は２の構成において、前記コア整形部の円筒状の内壁の長さは４５乃至６０ｍｍであることを特徴とする。
【００１１】
コア整形部の円筒状の内壁の長さが短すぎると、コア柱がコア整形部を通過する際の摩擦抵抗が小さくなり、圧力が加わったコア柱内の地殻成分は、圧力によりコア整形部をすり抜けてコア整形部の上部で膨張するため、きれいな状態のコア柱が採取できなくなる。一方、コア整形部の円筒状の内壁の長さが長すぎた場合、コア柱がコア整形部を通過する際の摩擦抵抗が非常に大きくなるため、コア整形部の内部に入ったコア柱は大きな圧力で押し固められ、採取されたコア柱をコア整形部から抜き出すことが非常に困難となる。従って、コア整形部の円筒状の内壁の長さは４５乃至６０ｍｍとすることにより、地殻の地質の硬度によらず、平均的にコア柱が適度の圧力で押し固められ、かつ採取されたコア柱をコア整形部から抜き出すことも容易となる。
【００１２】
本発明に係るコア採取装置の第４の構成は、前記第１乃至３の何れか一の構成において、前記コアビットの筒内に回転自在に挿入され、先端部が小径で基端部が大径の段差円筒形状に形成された内壁を有するコア整形チューブを備え、前記コア整形部は、前記コア整形チューブの先端部の内壁により構成されたことを特徴とする。
【００１３】
コア柱がコア整形チューブの先端部の内壁を通過する際に、適度の圧力により押し固められて整形されるため、採取されるコア柱は型くずれや崩壊を起こすことなく、自然状態に近いきれいな状態のコア柱を採取することが可能となる。
また、コア整形チューブの基端部は、先端部よりも大径に構成されているために、コア整形チューブの先端部で整形されたコア柱は、コア整形チューブの基端部の内壁と接触することなく通過するため、余分な摩擦抵抗を生じることはない。従って、コア柱をスムーズに採取できる。
更に、コア整形チューブは、コアビットの筒内に回転自在に挿入されているため、掘削のためにコアビットが回転してもコア整形チューブは回転することがなく、採取されたコア柱に余分なトルクが加わることが防がれる。
【００１４】
ここで、コア整形チューブの基端部の外壁に、コア整形チューブの基端側から、スリーブを嵌め込んでおいて、採取されたコア柱はこのスリーブに収容されるように構成することができる。これにより、採取されたコア柱をコア採取装置から取り出す際には、スリーブに入った状態のまま取り出すことができるため、採取したコア柱の取り扱いが非常に便利になる。
【００１５】
本発明に係るコア採取装置の第５の構成は、前記第４の構成において、前記コアビットの内壁は、先端部が小径で基端部が大径の段差円筒形状に形成されており、前記コア整形チューブの先端は、前記コアビット筒内に挿入され、前記コア整形チューブの先端面は前記コアビットの内壁の段差面に接触して配置されていることを特徴とする。
【００１６】
コア整形チューブの先端面は前記コアビットの内壁の段差面に接触して配置されているので、コア整形チューブの先端面とコアビットの内壁の段差面との間からスライムや泥水が流れ込むことが防止され、コア整形チューブとコアビットの内壁との間に泥が詰まってコア整形チューブが自由に回転できなくなる事態が防止される。
【００１７】
本発明に係るコア採取装置の第６の構成は、前記第４又は５の構成において、前記コア整形チューブは、外壁に突出形成されたフランジを有し、前記フランジは、前記コアビットと前記アウターチューブとにより回転自在に挟持されていることを特徴とする。
【００１８】
この構成により、コア整形チューブは、コアビットとアウターチューブとによって回転自在に挟持されるために、コア整形チューブを保持するためのインナーチューブは不要となる。即ち、シングルチューブコアバーレルとして構成することが可能となる。従って、コア採取装置の内部構造が極めて簡単化される。
【００１９】
コア整形チューブのフランジをコアビットとアウターチューブとによって回転自在に挟持する手段としては、例えば、フランジの表裏両面をベアリングや焼結含油軸受け等を介してコアビットとアウターチューブとによって挟んだ状態で固定する構成が取られる。
【００２０】
本発明に係るコア整形チューブの第１の構成は、先端部が小径で基端部が大径の段差円筒形状に形成された内壁を有することを特徴とする。
【００２１】
これにより、コア整形チューブの先端部を上述のコア整形部として機能させることができる。
【００２２】
ここで、コア整形チューブの基端部の外壁に、コア整形チューブの基端側から、スリーブを嵌め込んでおいて、採取されたコア柱はこのスリーブに収容されるように構成することができる。
【００２３】
本発明に係るコア整形チューブの第２の構成は、前記第１の構成において、前記基端部の筒内半径は、前記先端部の筒内半径の１．０１〜１．１倍だけ大きく形成されていることを特徴とする。
【００２４】
コア整形チューブの基端部の筒内半径が先端部の筒内半径に近すぎると、先端部筒内を通過したコア柱がコア整形チューブの基端部筒内にも接触するため、摩擦抵抗が大きくなり好ましくない。一方、コア整形チューブの基端部の筒内半径が先端部の筒内半径よりも極端に大きいと、採取されたコア柱とコア整形チューブの基端部の内壁との距離が空きすぎて、振動などによりコア柱が折れたり変形したりしやすくなる。そこで、基端部の筒内半径を先端部の筒内半径の１．０１〜１．１倍だけ大きく形成することで、コア柱がコア整形チューブの基端部筒内に接触することなく、かつ振動などによりコア柱が折れたり変形したりすることも防止できる。
【００２５】
例えば、先端部の筒内半径を４８ｍｍとした場合には、基端部の筒内半径は、先端部の筒内半径よりも０．５〜５ｍｍだけ大きく形成される。
【００２６】
【発明の実施の形態】
以下に本発明の一実施形態について、図面を参照しながら説明する。
【００２７】
図１は本発明の実施形態に係るコア採取装置の先端部の要部断面図、図２は本発明の実施形態に係るコア整形チューブの側面図、図３は本発明の実施形態に係るコア整形チューブの断面図、図４は本発明の実施形態に係るコアチューブの先端部分の斜視破断面図、図５は本発明の実施形態に係るコアチューブの先端部分の平面図、図６は本発明の実施形態に係るコアビットの側面破断面図である。
【００２８】
本実施形態に係るコア採取装置１は、円筒状のコアチューブ２、コアチューブ２の先端部に螺着された筒状のコアビット３、及びコアチューブ２及びコアビット３の筒内に回転自在に支承された筒状のコア整形チューブ４を備えている。
【００２９】
コアチューブ２の管壁は、２重壁構造に構成されており、円筒状の外管２ａの内部に密接して、円筒の内管２ｂが挿入されている。内管２ｂの外側面には、内管２ｂの中心軸に対称に４本の溝が当該中心軸に平行に形成されており、これらの溝と外管２ａの内壁とで囲まれた空間によって、掘削水を供給する通水穴２ｃが形成されている。このように、コアチューブ２を外管２ａと内管２ｂとによる二重壁構造としたのは、コアチューブ２の内部に通水穴２ｃを形成するに際し、内管２ｂの外側面に溝を切削することにより形成することができ、製造が簡単となるからである。
【００３０】
また、内管２ｂの先端部の外壁の径は、他の部分の径よりも小径に形成されており、この小径に形成された内管２ｂの先端外壁の段差部分と、外管２ａの内壁とで囲まれた空間により、円環状の水溝２ｄが形成されている。
【００３１】
内管２ｂの先端部の内壁の径は、他の部分の径よりも大径に形成されており、この大径に形成された内壁拡径部分２ｆにコアビット３の基端部３ａが嵌合される。尚、この内壁拡径部分２ｆの内壁には雌螺子２ｅが形成されており、コアビット３の基端部３ａの外壁には雄螺子３ｂが形成されている。そして、これらの螺子により、コアビット３はコアチューブ２の先端部に螺着されている。
【００３２】
コアビット３の外側壁は、略同径に形成された基端部３ａ及び先端部３ｃと、これら両部分の間に、これら両部分の外径よりも大径に形成された中央部３ｄとの３つの部分からなる段差円筒形状に形成されている。
【００３３】
また、コアビット３の筒内壁は、先端に小径部３ｅが形成され、その基端側の大径部３ｊが拡径して形成された２段円筒形状に形成されている。そして、この小径部３ｅの内壁面には、コアビット３の中心軸と平行に、６本の水溝３ｆが、コアビット３の中心軸に対称な位置に形成されている。また、コアビット３がコアチューブ２の先端に螺着された状態においては、各水溝３ｆの基端側は、コアチューブ２の先端面の水溝２ｄに開口した状態となる。
【００３４】
コアビット３の先端面３ｇには、炭化タングステンにコバルトを配合した合金等の超硬チップからなる先行ビット切刃５が複数個植設されている。この先行ビット切刃５と、小径部３ｅとによって、地殻から一定の径のコアを切り出すコア切出部が構成されている。また、コアビット３の外壁の先端部３ｃと中央部３ｄとの段差面３ｈには、超硬チップからなる削孔ビット切刃６が複数個植設されている。
【００３５】
尚、本実施の形態においては、コアビット３としてメタルビットを使用しているが、コアビット３としてダイヤモンドビットを使用してもよい。また、本発明においては、コアビット３の先端にシューを取り付けたものを使用することも可能である。
【００３６】
また、コアビット３の中央部３ｄの外側壁には、コアビット３の中心軸と平行に、４本の水溝３ｉが、コアビット３の中心軸に対称な位置に形成されている。
【００３７】
コア整形チューブ４の外側壁は、コアビット３の基端側の筒内径よりも小さい外径に形成された先端部４ａと、先端部４ａと略同径に形成された基端部４ｂと、先端部４ａ及び基端部４ｂの間に拡径して形成されたフランジ４ｃと、このフランジ４ｃの基端側に基端部４ｂの外径よりも大きな外径に形成された中央部４ｄとの４つの部分から構成された段差円筒形状に形成されている。
【００３８】
また、コア整形チューブ４の筒内壁は、先端側のコア整形部４ｅと、その基端側にコア整形部４ｅよりやや大径に形成された大径部４ｆとの２つの部分から構成された２段円筒形状に形成されている。コア整形部４ｅの長さは、４５ｍｍとされている。この大径部４ｆの半径は、コア整形部４ｅの半径の１．０２倍とされている。また、コア整形部４ｅの内径は、コアビット３の小径部３ｅの内径の１．０４倍に形成されている。
【００３９】
コア整形部４ｅの先端部４ａは、コアビット３の大径部３ｊに挿入されている。そして、コア整形部４ｅがコアビット３に挿入された状態では、コア整形部４ｅの先端面４ｇは、コアビット３の大径部３ｊと小径部３ｅとの段差面３ｋに当接するか又は極めて近接した位置となり、フランジ４ｃの先端側側面４ｈがベアリング７を介してコアビット３の基端側端面３ｌに接触した状態となるように構成されている。更に、コアビット３をコアチューブ２に螺着した状態においては、フランジ４ｃは、ベアリング７，８を介して、コアビット３の基端側端面３ｌとコアチューブ２の筒内の内壁拡径部分２ｆの基端側の段差面２ｇとに挟まれた状態で回転自在に支承される。
【００４０】
また、コア整形チューブ４の基端部４ｂには、基端側から袋状のスリーブ１０が蛇腹状に折りたたんだ状態で嵌め込まれる。このスリーブ１０は、ビニール袋のようなものが使用される。
【００４１】
尚、コアチューブ２やコア整形チューブ４の材質については、鉄で構成してもよいが、軽量化のため、強化塩化ビニル、強化ポリエチレン等を使用することもできる。
【００４２】
以上のように構成された本実施形態に係るコア採取装置について、以下そのコア採取時の動作について説明する。
【００４３】
図７は本発明の実施形態に係るコア採取装置のコア採取動作を示す図である。
【００４４】
まず、コアチューブ２は、その上端部に接続されるボーリングロッドにより回転駆動され、それとともにコアビット３も回転駆動される。コアビット３の先端面３ｇに植設された先行ビット切刃５は、地殻を削りながら掘進し、また、コアビット３の外壁の段差面３ｈに植設された削孔ビット切刃６は、先行ビット切刃５が掘削した掘削孔の側面を削孔し、掘削孔の孔径を拡張する。
【００４５】
このとき、コアチューブ２の上方から、通水穴２ｃを通して掘削水が供給される。供給された掘削水は、まず水溝２ｄに流入し、コアチューブ２の先端面全体にわたって廻る。そして、水溝３ｉを通って、コアビットの先端方向に噴射される。この掘削水により削孔ビット切刃６及び先行ビット切刃５は冷却されるとともに、掘削により生じるスライムは、コアチューブ２の外壁と掘削孔との間の空間を通って上方に排出される。さらに、掘削水の一部は、コアビット３の先端面３ｇを廻って水溝３ｆに回り込み、切り出されたコア柱９と小径部３ｅとの間の摩擦を低減する潤滑水の役割も果たす。
【００４６】
先行ビット切刃５によって切り出されたコア柱９は、コアビット３の掘進に伴ってコアビット３の筒内に収容されるが、この収容されるコアの量は、小径部３ｅの径によって制限される。このとき、小径部３ｅには、コアが押し込められるため、小径部３ｅ内のコアは加圧された状態となる。従って、小径部３ｅを通過してコア整形部４ｅ内に入ったコア柱９は、筒内径が広がるために、圧力が解放され、下から押し込まれるコアによって拡径膨張する。特に、流動性の高い軟質地盤の場合には、この膨張は大きくなる。しかしながら、コア整形部４ｅの内径は、先行ビット切刃５及び小径部３ｅによって切り出されるコア柱９が自由膨張した際のコア柱９の半径よりも小さい径とされているため、コア整形部４ｅ内のコア柱９には適度な圧力が加わるために、コア柱９とコア整形部４ｅとの間には適度な摩擦力が働き、コア内の砂泥の流動によりコア整形部４ｅ内に入ってくるコアの量は制限され、コア柱９の膨張が制限される。また、このコア整形部４ｅ内の圧力により、コア柱９は押し固められ、円柱状に整形される。そして、コア整形部４ｅ内を通過したコア柱９は、大径部４ｆに入るが、このとき、コア柱９は押し固められており殆ど膨張しないため、コア柱９が大径部４ｆの内壁と接触して摩擦を生じることはほとんどない。さらに、コア柱９は大径部４ｆを通過してコアチューブ２の内部に収容される。このとき、コア柱９の先端はスリーブ１０の底を押し上げながら上昇し、スリーブ１０内にコア柱９が収容される。
【００４７】
このように、コア柱９がコア採取装置１の管内壁と接触するのは、コアビット３の小径部３ｅと、コア整形チューブ４のコア整形部４ｅの部分に限られるため、コア柱９を採取後にコア柱９を取り出すのが極めて容易である。
【００４８】
また、コア柱９は、コア整形部４ｅにおいて円柱状に整形されて押し固められるために、採取されたコア柱９が自然膨張により、崩壊したり、型くずれしたり、採取されるコア柱９の長さが掘削長に対して極端に短くなったりすることが防止され、自然状態に近いきれいなコア柱９を採取することが可能となる。
【００４９】
【発明の効果】
以上のように、本発明に係るコア採取装置の第１の構成によれば、採取されたコア柱が自然膨張により、崩壊したり、型くずれしたり、採取されるコア柱の長さが掘削長に対して極端に短くなったりすることが防止され、自然状態に近いきれいなコア柱を採取することが可能となる。
また、コア整形部で整形された後は、コア柱の型くずれの心配がないため、例えば、コア柱とコア収納用の管との間隙を開ける等、後で取り出しやすい状態でコア柱を収納することが可能となる。
【００５０】
本発明に係るコア採取装置の第２の構成によれば、コア整形部によって、一定の圧力がかかった状態でコア整形部で押し固められるため、採取されるコア柱は型くずれや崩壊を起こすことなく、自然状態に近いきれいな状態のコア柱を採取することが可能となる。
【００５１】
本発明に係るコア採取装置の第３の構成によれば、地殻の地質の硬度によらず、平均的にコア柱が適度の圧力で押し固められ、かつ採取されたコア柱をコア整形部から抜き出すことも容易となる。
【００５２】
本発明に係るコア採取装置の第４の構成によれば、採取されるコア柱は型くずれや崩壊を起こすことなく、自然状態に近いきれいな状態のコア柱を採取することが可能となる。また、コア整形チューブの先端部で整形されたコア柱は、コア整形チューブの基端部の内壁と接触することなく通過するため、余分な摩擦抵抗を生じることはない。従って、コア柱をスムーズに採取できる。更に、採取されたコア柱に余分なトルクが加わることが防がれるため、コアビットの回転に伴ってコア柱がねじ切られることが防止される。
【００５３】
本発明に係るコア採取装置の第５の構成によれば、コア整形チューブとコアビットの内壁との間に泥が詰まってコア整形チューブが自由に回転できなくなる事態が防止されるため、コアビットの回転に伴いコア柱がねじ切られたり、コア柱の表面が焼き付いたりすることが防止される。
【００５４】
本発明に係るコア採取装置の第６の構成によれば、シングルチューブコア採取装置として構成することが可能となり、コア採取装置の内部構造が極めて簡単化されるため、故障が少なく、メンテナンスが容易で、かつ製造コストを低廉に抑えることが可能となる。
【００５５】
本発明に係るコア整形チューブの第１の構成によれば、コア整形チューブの先端部をコア整形部として機能させることが可能となる。
【００５６】
本発明に係るコア整形チューブの第２の構成によれば、コア柱がコア整形チューブの基端部筒内に接触することなく、かつ振動などによりコア柱が折れたり変形したりすることも防止できる。
【図面の簡単な説明】
【図１】本発明の実施形態に係るコア採取装置の先端部の要部断面図である。
【図２】本発明の実施形態に係るコア整形チューブの側面図である。
【図３】本発明の実施形態に係るコア整形チューブの断面図である。
【図４】本発明の実施形態に係るコアチューブの先端部分の斜視破断面図である。
【図５】本発明の実施形態に係るコアチューブの先端部分の平面図である。
【図６】本発明の実施形態に係るコアビットの側面破断面図である。
【図７】本発明の実施形態に係るコア採取装置のコア採取動作を示す図である。
【符号の説明】
１　コア採取装置
２　コアチューブ
２ａ　外管
２ｂ　内管
２ｃ　通水穴
２ｄ　水溝
２ｅ　雌螺子
２ｆ　内壁拡径部分
２ｇ　段差面
３　コアビット
３ａ　基端部
３ｂ　雄螺子
３ｃ　先端部
３ｄ　中央部
３ｅ　小径部
３ｇ　先端面
３ｈ　段差面
３ｉ　水溝
３ｊ　大径部
３ｋ　段差面
３ｌ　基端側端面
４　コア整形チューブ
４ａ　先端部
４ｂ　基端部
４ｃ　フランジ
４ｄ　中央部
４ｅ　コア整形部
４ｆ　大径部
４ｇ　先端面
４ｈ　先端側側面
４ｉ　基端側側面
５　先行ビット切刃
６　削孔ビット切刃
７，８　ベアリング
９　コア柱
【図１】
2004068325.tif 000003
【図２】
2004068325.tif 000004
【図３】
2004068325.tif 000005
【図４】
2004068325.tif 000006
【図５】
2004068325.tif 000007
【図６】
2004068325.tif 000008
【図７】
2004068325.tif 000009